(57)【要約】【課題】作動時の意外性やインパクトを高め、遊技の興趣を増大し得る遊技機の電飾装置を提供する。【解決手段】ランプ２８と、ランプ２８の周囲を回転する第１の反射部材２９とを備えた回転発光部２６を設け、第１の反射部材２９の回転により、反射光の照射方向がランプ２８を中心として回転変位するよう構成する。そして、前方からの回転発光部２６の視認を阻止する遮蔽位置、および前方からの回転発光部２６の視認を許容する開放位置に変位可能な遮蔽部材６０と、遮蔽部材６０を作動するモータ７４や第１伝達手段７５とを設けた。【選択図】図７
2006311901.tif 000002
【特許請求の範囲】
【請求項１】
発光体と、該発光体の周囲を回転する反射部材とを備え、前記反射部材の回転により、反射光の照射方向が発光体を中心として回転変位するよう構成された回転発光部を有する遊技機の電飾装置であって、
前方からの前記回転発光部の視認を阻止する遮蔽位置、および前方からの回転発光部の視認を許容する開放位置に変位可能な遮蔽部材と、
前記遮蔽部材を作動する駆動手段とを設けた
ことを特徴とする遊技機の電飾装置。
【請求項２】
前記遮蔽部材は半透明であって、該遮蔽部材を遮蔽位置に変位した状態で発光体の光および反射部材の反射光を前方へ透過し得るようになっている請求項１記載の遊技機の電飾装置。
【請求項３】
前記反射部材の回転領域より後方に、凹面状に形成されて光を前方へ向けて反射する反射体を配置した請求項１または２記載の遊技機の電飾装置。
【請求項４】
装置下面側に前記発光体が着脱可能に配置されると共に、装置上面側に前記反射部材を回転駆動する駆動機構が配置される請求項１〜３の何れかに記載の遊技機の電飾装置。
【請求項５】
前記反射部材の回転領域と遮蔽位置にある遮蔽部材との間に、光透過性を有するカバー部材が前方から着脱可能に取付けられている請求項１〜４の何れかに記載の遊技機の電飾装置。
【請求項６】
前記回転発光部の近傍に発光部品を配設し、前記遮蔽部材を開放位置に変位したときには、該発光部品の前方を遮蔽部材が覆い、該遮蔽部材を遮蔽位置に変位したときに、発光部品の前方から遮蔽部材が離間するよう構成されている請求項１〜５の何れかに記載の遊技機の電飾装置。
【発明の詳細な説明】
【技術分野】
【０００１】
本発明は、遊技機の電飾装置に関し、更に詳細には、反射部材の回転により反射光の照射方向が発光体を中心として回転変位する回転発光部を備えた遊技機の電飾装置に関するものである。
【背景技術】
【０００２】
代表的な遊技機であるパチンコ機は、機内にセットされる遊技盤の盤面に画成した遊技領域の略中央位置に装飾部材が配設されて、該装飾部材に開設した開口部に、各種図柄を変動および停止表示させて図柄変動ゲームを行なう図柄表示装置を臨ませるよう構成される。そして、前記遊技盤の盤面(遊技領域)に打出されたパチンコ球(遊技球)が、前記装飾部材の下方位置に配設した始動入賞装置に入賞することにより、前記図柄表示装置での図柄変動ゲームが行なわれるようになっている。また、多くのパチンコ機では、ランプやＬＥＤ等の発光体を設けた電飾装置が前記装飾部材等に配設されており、前記図柄表示装置での図柄変動ゲームに合わせて発光体を点灯・点滅させて発光演出することにより、遊技の臨場感や迫力を高めて遊技の興趣を向上するよう構成されている。
【０００３】
このような電飾装置として、本願の出願人は、光の照射方向を変化させることで、発光演出効果をより高めて、遊技の興趣の向上を図り得る装置を提案している(特許文献１参照)。特許文献１に開示された電飾装置は、固定的に配設したランプ(発光体)の周囲を回転する凹面状の反射部材を設けると共に、該ランプおよび反射部材をレンズカバー(カバー部材)で被覆するよう構成されて、前記装飾部材における図柄表示装置の上方位置に配置されている。すなわち、前記発光体の発光時に前記反射部材が回転することにより、該反射部材が反射した反射光の照射方向がランプを中心として回転変位するようになっている。
【特許文献１】特開２００４−７３３２４号公報
【発明の開示】
【発明が解決しようとする課題】
【０００４】
ところで、前記特許文献１に記載された電飾装置は、前記装飾部材における前側に常に露出して配設されており、該電飾装置を遊技者が常時視認し得るようになっている。すなわち、電飾装置を遊技者が視認することにより、該電飾装置の機能をある程度遊技者に予測させたもとで遊技を行なわせ得る一方、電飾装置を作動させたときに遊技者に与える意外性に乏しくなる難点を内在している。このため、電飾装置の作動時における意外性が高く、電飾装置の作動により遊技者に強いインパクトを与えることにより、遊技の興趣を向上させ得る電飾装置が求められている。
そこで、本発明は、作動時の意外性やインパクトを高め、遊技の興趣を増大し得る遊技機の電飾装置を提供することを目的とする。
【課題を解決するための手段】
【０００５】
前記課題を克服し、所期の目的を好適に達成するため、請求項１に係る遊技機の電飾装置は、
発光体(28)と、該発光体(28)の周囲を回転する反射部材(29)とを備え、前記反射部材(29)の回転により、反射光の照射方向が発光体(28)を中心として回転変位するよう構成された回転発光部(26)を有する遊技機の電飾装置であって、
前方からの前記回転発光部(26)の視認を阻止する遮蔽位置、および前方からの回転発光部(26)の視認を許容する開放位置に変位可能な遮蔽部材(60)と、
前記遮蔽部材(60)を作動する駆動手段(74,75)とを設けたことを要旨とする。
【０００６】
このように、遮蔽部材を遮蔽位置に変位させることで、前方(遊技者側)からの回転発光部の視認を阻止し得る。また、遮蔽部材を開放位置に変位させることで、前方(遊技者側)からの回転発光部の視認が許容される。すなわち、遮蔽部材を遮蔽位置から開放位置へ変位した場合に限り回転発光部が現れるから、電飾装置の作動時の意外性を高めてより強いインパクトを与えることができ、遊技の興趣を増大し得る。更に、遮蔽部材を開放位置に変位することで、発光体を中心として反射部材の照射方向を回転変位させて行なう発光演出が妨げられることはない。従って、回転発光部の機能を損なうことなく、遊技の興趣の向上を図り得る利点がある。
【０００７】
請求項２に係る遊技機の電飾装置は、前記遮蔽部材(60)は半透明であって、該遮蔽部材(60)を遮蔽位置に変位した状態で発光体(28)の光および反射部材(29)の反射光を前方へ透過し得るようになっていることを要旨とする。
【０００８】
このように、前記遮蔽部材を半透明として、発光体の光および反射部材の反射光が前方へ透過し得るよう構成することにより、該遮蔽部材を遮蔽位置に変位した状態であっても発光演出を行なうことができる。すなわち、前記遮蔽部材が遮蔽位置にある状態と、該遮蔽部材が開放位置にある状態とで異なる発光演出を行ない得るから、演出の多様化を図り得る利点がある。
【０００９】
請求項３に係る遊技機の電飾装置は、前記反射部材(29)の回転領域より後方に、凹面状に形成されて光を前方へ向けて反射する反射体(46)を配置したことを要旨とする。
【００１０】
このように、前記反射部材の回転領域より後方に、凹面状に形成した反射体を配置することで、反射部材が発光体の前側を覆い隠した状態であっても、反射体の反射光を前方へ照射し得るから、発光演出による演出効果をより向上し得る。
【００１１】
請求項４に係る遊技機の電飾装置は、装置下面側に前記発光体(28)が着脱可能に配置されると共に、装置上面側に前記反射部材(29)を回転駆動する駆動機構(30,31)が配置されることを要旨とする。
【００１２】
このように、装置下面側に前記発光体を着脱可能に配置することで、発光体を交換し得ると共に、遊技機の運搬時等に発光体が脱落するのを防止できる。また、装置上面側に前記反射部材を回転させる駆動機構を設けることで、該駆動機構を装置下面側に設けた場合と較べて、装置下部の大型化を防止し得る。従って、電飾装置の下方位置に図柄表示装置等の演出装置を配置する構成の場合には、該演出装置と電飾装置とを近接させることができ、前記発光体を発光させた際の発光演出効果を向上し得る利点がある。
【００１３】
請求項５に係る遊技機の電飾装置は、前記反射部材(29)の回転領域と遮蔽位置にある遮蔽部材(60)との間に、光透過性を有するカバー部材(56)が前方から着脱可能に取付けられていることを要旨とする。
【００１４】
このように、前記反射部材の回転領域と遮蔽位置にある遮蔽部材との間に配設したカバー部材を、前方から着脱し得るよう構成することで、前記発光体の交換・メンテナンス作業を行なう際の作業性を向上し得る。
【００１５】
請求項６に係る遊技機の電飾装置は、前記回転発光部(26)の近傍に発光部品(37,38)を配設し、前記遮蔽部材(60)を開放位置に変位したときには、該発光部品(37,38)の前方を遮蔽部材(60)が覆い、該遮蔽部材(60)を遮蔽位置に変位したときに、発光部品(37,38)の前方から遮蔽部材(60)が離間するよう構成されていることを要旨とする。
【００１６】
このように、遮蔽部材を遮蔽位置と開放位置との間で変位させることで、該遮蔽部材で発光部品を覆ったり、覆わなくしたりできるから、多彩な発光演出が可能となる。
【発明の効果】
【００１７】
本発明に係る遊技機の電飾装置によれば、電飾装置の作動時の意外性やインパクトを高め、遊技の興趣を増大することができる。
【発明を実施するための最良の形態】
【００１８】
次に、本発明に係る遊技機の電飾装置につき、好適な実施例を挙げて、添付図面を参照しながら、以下詳細に説明する。なお実施例では、遊技機として、パチンコ球を使用して遊技を行なう一般的なパチンコ機を例にして説明する。また、以下の説明において前・後および左・右とは、特に断りのない限り、図１に示すようにパチンコ機の遊技盤を正面側から見た場合において指称するものとする。
【実施例】
【００１９】
図１に示すように、実施例に係るパチンコ機の遊技盤１０は、略円形状に湾曲形成したレール１１により囲まれた遊技領域１０ａの前側において、中央やや下部にパチンコ球をスイッチで検出し得る始動入賞装置１２と、この始動入賞装置１２の直上方に配設されて遊技領域１０ａの略中央に位置し、図柄表示装置１５が後方から臨む装飾部材１３と、始動入賞装置１２の直下方に設置された大型電動式の特別入賞装置１４等を備えている。そして、前記遊技領域１０ａに打出されて前記始動入賞装置１２に入賞したパチンコ球を図示しないスイッチが検出することにより、前記図柄表示装置１５での図柄変動ゲームが開始されるようになっている。そして、図柄変動ゲームの結果、前記図柄表示装置１５に特定の図柄組合わせ(例えば、同一図柄の三つ揃)が表示されることで、遊技者に有利な特別遊技(所謂大当り)が発生するよう構成されている。ここで、前記特別入賞装置１４は、図１に示すように、特別入賞口１４ｂに設けられた扉状の開閉板１４ａが、後側の電磁ソレノイド(図示せず)の駆動に伴って通常の閉鎖状態から開放状態に変化し得るよう構成されており、特別遊技の発生時に開閉板１４ａが開放してパチンコ球が特別入賞口１４ｂに入賞することで、球皿(図示せず)に賞球が払出されるようになっている。なお、遊技盤１０の最下方位置には、始動入賞装置１２や特別入賞装置１４に入賞しないパチンコ球を排出するアウト口１６を設けてある。
【００２０】
前記装飾部材１３は、図１に示すように、前記遊技領域１０ａの左右幅方向の大部分を占め、その略中央位置に開設した可視表示部１３ｂを介して前記図柄表示装置１５が後方から臨む枠状本体１３ａに、所要の意匠を施した複数の装飾体を取付けて構成され、該枠状本体１３ａを遊技盤１０に開設した装着孔(図示せず)に前側から挿入した状態で遊技盤１０にネジ止めされる。そして、前記枠状本体１３ａにおける図柄表示装置１５の上方位置に、発光演出を行なう電飾装置２０を配設してある。すなわち、実施例では、前記装飾部材１３が電飾装置２０の設置部材として機能している。
【００２１】
(電飾装置について)
図２〜図５に示すように、前記電飾装置２０は、前記装飾部材１３における可視表示部１３ｂの上面を画成する略矩形状のベース板２１と、該ベース板２１の略中央位置に設けられた回転発光部２６と、ベース板２１の左右両端部近傍に設けられた擬似回転発光部(発光部品)３７,３８と、該回転発光部２６および擬似回転発光部３７,３８の後方に位置する反射体４６と、当該回転発光部２６の前側に配設された第１カバー部材(カバー部材)５６(図３または図６参照)と、第１カバー部材５６の左右両側に位置するよう擬似回転発光部３７,３８の前側に配設された第２カバー部材５８,５８(図２参照)と、該ベース板２１の前端部に配置されて第１および第２カバー部材５６,５８を被覆可能な遮蔽部材６０と、該遮蔽部材６０を作動する第１モータ(駆動手段)７４と、該第１モータ７４の駆動力を遮蔽部材６０へ伝達する第１伝達手段(駆動手段)７５とを備えている。なお、実施例では、前記第１および第２カバー部材５６,５８は、赤色の着色がなされた光透過性を有する合成樹脂材により形成してある。すなわち、前記第１および第２カバー部材５６,５８の後方に位置する前記回転発光部２６または擬似回転発光部３７,３８を発光させた際には、その光が前側(遊技者側)に到達するようになっている。なお、前記第１カバー部材５６は、前側に膨出する半球状に形成されると共に、前後に貫通する第１通孔５６ｂが穿設された突起片５６ａがその下端部に垂設されている(図６参照)。
【００２２】
また、前記ベース板２１の前端部は、図５に示すように、左右端部から略中央位置へ向かうにつれて前方に僅かに突出するよう形成されて、この前端部の略中央位置に形成した凹部２１ａ(図４または図６参照)に、前記第１カバー部材５６の突起片５６ａが臨むようになっている。また、前記ベース板２１の凹部２１ａには、前記突起片５６ａの第１通孔５６ｂと前後に整列する位置にネジ孔２１ｂが形成されている。更に、前記凹部２１ａには、前記突起片５６ａの前側に、前記ベース板２１に合わせた装飾を施した装飾片１８が臨むよう構成されると共に、該装飾片１８には前記第１通孔５６ｂと整列する第２通孔１８ａを穿設してある。すなわち、前記凹部２１ａに臨ませた突起片５６ａの前側に装飾片１８を配置した状態で、該装飾片１８の前側からネジ孔２１ｂにネジを螺挿することにより、第１カバー部材５６をベース板２１に取付け得るようになっている。なお、前記第１カバー部材５６は、この１本のネジによりベース板２１に固定するようになっており、必要に応じてネジを取外し、更に第１カバー部材５６を取外すことにより、前記回転発光部２６を前側に露出させ得るようになっている。
【００２３】
一方、前記第２カバー部材５８は、前記反射体４６に形成した取付孔４６ｂ,４６ｂ(図４参照)を介して該反射体４６に対してネジ止めされており、該反射体４６と一体的に取扱い得るよう構成されている。ここで、前記反射体４６には、前記回転発光部２６に対応する位置において後方に凹む凹面状に形成された第１反射面部４７と、前記左右の擬似回転発光部３７,３８に対応する位置において後方に凹む凹面状に形成された第２反射面部４８,４８とが一体的に設けられている。また、前記反射体４６の前面側における前記第１反射面部４７と各第２反射面部４８との間には、複数のＬＥＤ５０を取付けた第１の発光体基板４９が夫々取付けられており、反射体４６に取付けた前記第２カバー部材５８が、前記第２反射面部４８および第１の発光体基板４９の前側を覆うよう構成されている。すなわち、前記第１カバー部材５６および第１反射面部４７により囲繞された第１空間５１(図３または図６参照)に前記回転発光部２６が位置し、各第２カバー部材５８および対応の第２反射面部４８により囲繞された第２空間５２(図２参照)に前記擬似回転発光部３７,３８が位置している。なお、前記第１反射面部４７には、前後に貫通する複数の放熱孔４７ａが穿設されており(図４または図６参照)、後述するランプ２８の熱を前記第１空間５１から外部に効率的に放熱して、電飾装置２０の異常な発熱を防止し得るようになっている。
【００２４】
(回転発光部について)
前記回転発光部２６は、図４、図６または図７に示すように、前記ベース板２１の略中央位置に取付けた第２の発光体基板２７に着脱可能に取付けられたランプ(発光体)２８と、該ランプ２８の周囲を回転可能な第１の反射部材(反射部材)２９と、第１の反射部材２９を回転させる第２モータ３０と、該第２モータ３０を第１の反射部材２９に連繋接続する第２伝達手段３１とから構成されている。すなわち、前記第２モータ３０および第２伝達手段３１が第１の反射部材２９を回転させる駆動機構として機能している。ここで、前記ランプ２８は、パチンコ機の裏側に設けた制御装置８０(図１８参照)に接続されて、該制御装置８０の制御に基づいて点灯・消灯するようになっている。これにより、前記図柄表示装置１５での図柄変動ゲームに合わせてランプ２８を点灯・消灯し得るようになっている。ここで、前記第１の反射部材２９は、前記ランプ２８側が凹む凹面状に反射面２９ａが形成されており、ランプ２８を点灯した際に、該反射面２９ａ側に照射された光をランプ２８側に反射するよう構成されている。すなわち、前記ランプ２８の点灯時に第１の反射部材２９が回転することで、該第１の反射部材２９からの反射光の照射方向が回転変位する。
【００２５】
前記第２モータ３０は、回転軸を上方へ向けた姿勢で前記反射体４６の裏側に固定されており(図４または図６参照)、反射体４６における前記第１反射面部４７の上部位置に開設した開口部４６ａを介して第１反射面部４７の前側に位置する前記第１の反射部材２９に、前記第２伝達手段３１が接続するようになっている。ここで、前記第２伝達手段３１は、図７〜図９に示すように、前記第２モータ３０の回転軸に取付けられる駆動歯車３２と、該駆動歯車３２と噛合する第１従動歯車３３と、第１従動歯車３３と噛合し、前記第１の反射部材２９が固定される第２従動歯車３５とから構成され、該第２従動歯車３５が反射体４６に開設した開口部４６ａを介して第１反射面部４７の前側に位置している。ここで、前記第１の反射部材２９は、前記第２従動歯車３５の回転中心に吊下げ固定されると共に、該第１の反射部材２９の回転中心(すなわち第２従動歯車３５の回転中心)が前記ランプ２８の真上に位置するようになっており、第１の反射部材２９が回転したときにランプ２８と第１の反射部材２９との相対的な位置関係が一定となるよう構成されている。具体的には、前記第１の反射部材２９の回転時に反射面２９ａが常にランプ２８側を向くようになっており、反射光の光の強さが一定になるようにしてある。ここで、前記第２モータ３０は、前記制御装置８０に接続されて、前記図柄表示装置１５での図柄変動ゲームおよび前記ランプ２８の点灯・消灯に合わせて第２モータ３０を駆動することで第１の反射部材２９を回転させ得るようになっている。なお、第１の反射部材２９は、一定方向に回転(図８において左回転)するよう構成されている。
【００２６】
また、前記第１従動歯車３３の下端側には、図９に示すように、該第１従動歯車３３の外周端より半径方向外方に延出する円板状のフランジ板３４が形成されて、該フランジ板３４の所要位置にスリット３４ａが形成されている。すなわち、第１従動歯車３３の回転に伴ってフランジ板３４(スリット３４ａ)も回転するようになっている。ここで、前記反射体４６の裏側に取付けられた第１センサ基板５３には、前記フランジ板３４と対応する位置に、前記制御装置８０に接続する第１検出センサ５４が配設されており、該第１検出センサ５４が前記フランジ板３４のスリット３４ａを検出することで、前記第１の反射部材２９の原位置を制御装置８０が識別するよう構成されている。なお、実施例では、前記第１の反射部材２９が原位置にある状態では、図４または図８に示すように、反射面２９ａが前方を指向するよう設定してある。実施例では、前記第１検出センサ５４としてフォトセンサを採用しているが、これに限られるものではない。
【００２７】
(擬似回転発光部について)
次に、前記左右の擬似回転発光部３７,３８について説明する。ここで、前記電飾装置２０(ベース板２１)の左右両端部に設けられる前記左右の擬似回転発光部３７,３８の構成は、同一なので、右側に位置する擬似回転発光部３７の構成についてのみ説明し、左側に位置する擬似回転発光部３８に関しては、同一の符号を付して詳細な説明は省略する。前記右側の擬似回転発光部３７は、図５、図１０または図１１に示すように、前記ベース板２１の右端部近傍(左側の擬似回転発光部３８にあってはベース板２１の左端部近傍)に配設された第３の発光体基板３９の定点を通る直線上に複数(実施例では２個)のＬＥＤ４０,４１を並べてなるＬＥＤ列(発光体列)ＬＮ１〜ＬＮ５と、該基板３９上の定点に固定された逆円錐状(錐状)の第２の反射部材４３とから構成される。ここで、前記第２の反射部材４３は、図１０に示すように、その頂点から下方へ垂下する支持軸４３ａが形成されており、該支持軸４３ａが前記第３の発光体基板３９の定点に固定されている。すなわち、前記第２の反射部材４３は、その頂点が前記第３の発光体基板３９の定点に対向する姿勢で配置されて、該第２の反射部材４３の円錐面(錐面)４４が第３の発光体基板３９と対向するようになっている。
【００２８】
ここで、前記ＬＥＤ列ＬＮ１〜ＬＮ５は、前記定点を中心として第３の発光体基板３９上に放射状に５方向へ延在するよう配置されると共に、定点を中心として周方向に隣接するＬＥＤ列ＬＮ１〜ＬＮ５のなす角度が略一定となるよう設定してある。なお以下の説明においては、図１１において、前記第２の反射部材４３(定点)から左前方に延在するＬＥＤ列を第１ＬＥＤ列ＬＮ１と指称し、第２の反射部材４３(定点)から右前方に延在するＬＥＤ列を第２ＬＥＤ列ＬＮ２と指称し、第２の反射部材４３(定点)から右後方に延在するＬＥＤ列を第３ＬＥＤ列ＬＮ３と指称し、第２の反射部材４３(定点)から真後に延在するＬＥＤ列を第４ＬＥＤ列ＬＮ４と指称すると共に、第２の反射部材４３(定点)から左後方に延在するＬＥＤ列を第５ＬＥＤ列ＬＮ５と指称する。また、前記第１〜第５ＬＥＤ列ＬＮ１〜ＬＮ５の夫々は、各列の最外方に位置するＬＥＤ(以下、第１のＬＥＤ４０と云う)を、第３の発光体基板３９に対して略平行でかつ半径方向外側(第２の反射部材４３とは反対の方向)へ向けて光を照射するよう配置すると共に、該第１のＬＥＤ４０の内側(定点側)に位置するＬＥＤ(以下、第２のＬＥＤ４１と云う)を、前記第２の反射部材４３の円錐面４４へ向けて光を照射するよう配置してある(図１０参照)。
【００２９】
すなわち、実施例では、第２の反射部材４３の前側に位置する第１または第２ＬＥＤ列ＬＮ１,ＬＮ２の第１のＬＥＤ４０を発光させた際には、該第１のＬＥＤ４０から前記第２カバー部材５８に光が直接照射され、第２の反射部材４３の側方または後方に位置する第３〜第５ＬＥＤ列ＬＮ３〜ＬＮ５の第１のＬＥＤ４０を発光させた際には、前記反射体４６の第２反射面部４８で反射した反射光が第２カバー部材５８に照射されるようになっている。一方、第１または第２ＬＥＤ列ＬＮ１,ＬＮ２の第２のＬＥＤ４１を発光させた際には、前記第２の反射部材４３の円錐面４４で反射した反射光が前記第２カバー部材５８に照射され、第３〜第５ＬＥＤ列ＬＮ３〜ＬＮ５の第２のＬＥＤ４１を発光させた際には、第２の反射部材４３の円錐面４４で反射された後に、更に前記反射体４６の第２反射面部４８で反射された反射光が第２カバー部材５８に照射される。このため、実施例に係る擬似回転発光部３７,３８では、前記第２の反射部材４３より前側に位置する第１および第２ＬＥＤ列ＬＮ１,ＬＮ２の第１のＬＥＤ４０からの光は、第２の反射部材４３より後側に位置する第３〜第５ＬＥＤ列ＬＮ３〜ＬＮ５の第１のＬＥＤ４０からの光に較べて、前記第２カバー部材５８に到達したときの光の強度が強く、また第１および第２ＬＥＤ列ＬＮ１,ＬＮ２の第２のＬＥＤ４１からの光は、第３〜第５ＬＥＤ列ＬＮ３〜ＬＮ５の第２のＬＥＤ４１からの光に較べて、前記第２カバー部材５８に到達したときの光の強度が強くなるようになっている。
【００３０】
また、図１８に示すように、前記各ＬＥＤ列ＬＮ１〜ＬＮ５は、前記制御装置８０に接続され、該制御装置８０の制御に基づいて、各列に対応の第１および第２のＬＥＤ４０,４１を各列毎に周方向に順次点灯・消灯するようになっている。ここで、実施例では、前記制御装置８０は、第１ＬＥＤ列ＬＮ１、第２ＬＥＤ列ＬＮ２、第３ＬＥＤ列ＬＮ３、第４ＬＥＤ列ＬＮ４、第５ＬＥＤ列ＬＮ５の順で対応の第１および第２のＬＥＤ４０,４１を周期的に点灯・消灯させると共に、点灯させたＬＥＤ列の第１および第２のＬＥＤ４０,４１を消灯させた後に、次のＬＥＤ列の第１および第２のＬＥＤ４０,４１を点灯させるよう設定されている。すなわち、前記第１〜第５ＬＥＤ列ＬＮ１〜ＬＮ５を順次点灯・消灯することにより、第２カバー部材５８における第１のＬＥＤ４０からの光が照射される位置および第２の反射部材４３からの反射光が照射される位置が変位して、光の照射方向が回転変位しているように見せかけ得るようになっている。
【００３１】
(遮蔽部材について)
前記遮蔽部材６０は、図１〜図３または図７に示すように、外形形状が左右対称な右遮蔽板６１および左遮蔽板６７からなり、前記第１モータ７４の駆動により第１伝達手段７５を介して前記ベース板２１の前端縁に沿って左右方向に移動し得るよう構成される。この左右の遮蔽板６１,６７には、文字や図柄等を表した半透明の表示部６０ａ(図２または図３における斜線部)と、光が透過不能な非表示部６０ｂとが夫々形成されており、該遮蔽板６１,６７の後方に位置する前記回転発光部２６や擬似回転発光部３７,３８の光を、表示部６０ａを介して前側に透過し得るようになっている。なお、この明細書において「半透明」とは、後方に位置する回転発光部２６や擬似回転発光部３７,３８からの光を透過する一方、該回転発光部２６や擬似回転発光部３７,３８を前側から視認し得ない状態を示す概念で用いている。
【００３２】
ここで、前記第１伝達手段７５は、図５または図１２〜図１５に示すように、前記右遮蔽板６１の下端縁に接続する第１スライド部材６２と、前記左遮蔽板６７の下端縁に接続する第２スライド部材６８と、連結棒７８および連結部７９を介して第２スライド部材６８に連繋する連繋部７０と、該第１スライド部材６２の後端縁に形成されて前記第１モータ７４の駆動軸に取付けた駆動歯車７７の上歯車部７７ａに噛合する第１ラック部６３と、連繋部７０の前端縁に形成されて前記駆動歯車７７の下歯車部(図示せず)に噛合する第２ラック部７１とから構成されており、該第１モータ７４の駆動により、左右の遮蔽板６１,６７を作動させ得るようになっている。ここで、前記駆動歯車７７は、上歯車部７７ａおよび下歯車部が一体に形成されて、該上歯車部７７ａに前側から前記第１ラック部６３が噛合すると共に、下歯車部に後側から前記第２ラック部７１が噛合するよう構成される。すなわち、前記第１モータ７４の駆動時には、前記第１ラック部６３および第２ラック部７１が反対方向に移動するようになっている。
【００３３】
また、前記第１スライド部材６２には、図５または図１２〜図１５に示すように、左右方向に所要長さで延在する第１ガイド溝６２ａが上下に貫通するよう形成されて、前記ベース板２１の右前端縁と略平行な方向に離間するよう該ベース板２１に固定した２つの第１ガイドピン６５,６５が、第１ガイド溝６２ａに臨むようになっている。すなわち、前記第１スライド部材６２は、前記第１ガイドピン６５,６５に移動規制されて前記ベース板２１の右前端縁と略平行に左右方向に移動するよう構成される。ここで、前記右遮蔽板６１は、前記第１スライド部材６２の左右方向への移動に従って、前記回転発光部２６の右半分を覆い、かつ前記右側の擬似回転発光部３７の前側から離間する遮蔽位置(図２参照)と、該回転発光部２６の前側から離間し、かつ右側の擬似回転発光部３７(右側の第２カバー部材５８)の前側を覆う開放位置(図３参照)の間を変位し得るよう設定されている。
【００３４】
同様に、前記第２スライド部材６８には、図５または図１２〜図１５に示すように、左右方向に所要長さで延在する第２ガイド溝６８ａが上下に貫通するよう形成されて、前記ベース板２１の左前端縁と略平行な方向に離間するよう該ベース板２１に固定した２つの第２ガイドピン７３,７３が、第２ガイド溝６８ａに臨むようになっている。すなわち、前記第２スライド部材６８は、前記第２ガイドピン７３,７３に移動規制されて前記ベース板２１の左前端縁と略平行に左右方向に移動するよう構成される。ここで、前記左遮蔽板６７は、前記第２スライド部材６８の左右方向への移動に従って、前記回転発光部２６の左半分を覆い、かつ前記左側の擬似回転発光部３８の前側から離間する遮蔽位置(図２参照)と、該回転発光部２６の前側から離間し、かつ左側の擬似回転発光部３８(左側の第２カバー部材５８)の前側を覆う開放位置(図３参照)の間を変位し得るよう設定されている。また、前記第２スライド部材６８には、所要位置に後方へ向けて突出する突出部６９が形成されており、該突出部６９に前後方向に延在するカム溝６９ａが開設してある。
【００３５】
図５または図１２〜図１５に示すように、前記連繋部７０は、左右方向に長尺な板状部材であって、その前端縁に前記第２ラック部７１が形成されている。また、前記連繋部７０には、左右方向に延在する第３ガイド溝７０ａが形成されており、該第３ガイド溝７０ａに前記ベース板２１に固定的に設けた第３ガイドピン２５(図５、図１３または図１５参照)が臨むようになっている。連繋部７０の左端部には、左方向に延在する連結棒７８が固定されて、該連結棒７８の左端部に固定配置した連結部７９に立設した支ピン７９ａが、前記第２スライド部材６８の突出部６９に形成したカム溝６９ａに挿入されている。なお、前記連結棒７８は、前記ベース板２１に取付けられた支持部２２(図５または図６参照)の挿通孔２２ａ(図６参照)に挿通してある。従って、前記連繋部７０、連結棒７８および連結部７９の夫々は、前記第３ガイドピン２５および支持部２２により移動規制され、前記第１モータ７４の駆動に伴って左右方向に移動する。そして、連結部７９が左右方向に移動することで、前記突出部６９のカム溝６９ａと、該カム溝６９ａに臨ませた支ピン７９ａとの連繋作用により、前記第２スライド部材６８を前記遮蔽位置と開放位置との間を移動させるようになっている。
【００３６】
ここで、前記第１スライド部材６２(右遮蔽板６１)および第２スライド部材６８(左遮蔽板６７)の夫々は、前記第１モータ７４の駆動により前記遮蔽位置と開放位置との間を同期的に移動するよう構成されており、遮蔽位置では左右の遮蔽板６１,６７により前記回転発光部２６(第１カバー部材５６)を完全に覆い隠し、開放位置では左右の遮蔽板６１,６７の間から回転発光部２６(第１カバー部材５６)が完全に露出するようになっている。なお、図１７に示すように、前記右遮蔽板６１の左端縁には、その後端部から左方向に突出する第１遮蔽片６１ａが形成されると共に、前記左遮蔽板６７の右端縁には、その前端部から右方向に突出する第２遮蔽片６７ａが形成されており、左右の遮蔽板６１,６７を遮蔽位置に変位した際に、第１遮蔽片６１ａと第２遮蔽片６７ａとが前後に重なり合って左右の遮蔽板６１,６７の間に隙間が生ずるのを防止している。なお、前記右遮蔽板６１の左上端部および左遮蔽板６７の右上端部には、上方へ向けて位置決め片６１ｂ,６７ｂが突設されており、該位置決め片６１ｂ,６７ｂが前記装飾部材１３の上部前側に設けた装飾カバー１３ｃ(図６参照)の内側(裏側)に摺接するよう構成されている(図６には左遮蔽板６７の位置決め片６７ｂのみ図示)。すなわち、前記左右の遮蔽板６１,６７を遮蔽位置および開放位置に変位する際に、前記位置決め片６１ｂ,６７ｂが左右の遮蔽板６１,６７の上端部をガイドすると共に、左右の遮蔽板６１,６７が前側に傾斜するのを防止している。
【００３７】
また、前記第１モータ７４は、前記制御装置８０に接続されて、該制御装置８０の制御に基づいて正逆回転する。なお、実施例では、第１モータ７４を正回転(図１３の状態で左回転)することで、前記左右の遮蔽板６１,６７が遮蔽位置から開放位置へ向けて変位し、第１モータ７４を逆回転(図１５に示す状態で右回転)することで、左右の遮蔽板６１,６７が開放位置から遮蔽位置へ向けて変位するようになっている。また、前記連結部７９には、図１６に示すように、上方に向けて突出する位置検出片７９ｂが形成されると共に、該連結部７９の上方位置に位置するよう前記ベース板２１に取付けられた第２センサ基板２３に、該位置検出片７９ｂを検出可能な第２検出センサ２４を設けてある。前記第２検出センサ２４は、前記制御装置８０に接続されており(図１８参照)、該第２検出センサ２４が位置検出片７９ｂを検出することで、前記第２スライド部材６８の原位置(実施例では遮蔽位置)を制御手段が識別し得るようになっている。ここで、前述の如く、前記第１スライド部材６２と第２スライド部材６８とは、前記第１モータ７４の駆動により同期的に移動するから、前記第２検出センサ２４が位置検出片７９ｂを検出することで、第１スライド部材６２の原位置(遮蔽位置)を検出し得るようになっている。なお、実施例では、前記第１検出センサ５４と同様に、前記第２検出センサ２４としてフォトセンサを採用しているが、これに限られるものではない。
【００３８】
〔実施例の作用〕
次に、前述した実施例に係る遊技機の電飾装置の作用につき説明する。
【００３９】
実施例に係るパチンコ機では、前記遮蔽部材６０(左右の遮蔽板６１,６７)は、常には前記制御装置８０の制御に基づいて前記遮蔽位置に保持されて、前方(遊技者側)からの前記回転発光部２６および第１カバー部材５６の視認を阻止している。このとき、前記回転発光部２６の第１の反射部材２９は原位置に保持されるから、前記制御装置８０の制御に基づいて回転発光部２６のランプ２８を点灯させると、該ランプ２８からの光および第１の反射部材２９からの反射光が第１カバー部材５６を介して遮蔽部材６０(左右の遮蔽板６１,６７)に照射される。ここで、前記遮蔽部材６０(左右の遮蔽板６１,６７)には、文字や絵柄等を表した表示部６０ａを設けてあるから、前記ランプ２８の点灯時には表示部６０ａが浮き上がるように明輝して発光演出される。すなわち、前記回転発光部２６は、前記遮蔽部材６０(左右の遮蔽板６１,６７)が遮蔽位置にあるときには、一般的な発光部として機能し得る。なお、前記回転発光部２６の第１の反射部材２９がランプ２８の後方に位置することで、その反射光が前記表示部６０ａに照射されるから、該表示部６０ａをより一層際立たせることができる。
【００４０】
また、前記遮蔽部材６０(左右の遮蔽板６１,６７)を遮蔽位置に保持した状態では、前記第２カバー部材５８における前記擬似回転発光部３７,３８に対応する位置を前側から視認可能となっている(図２参照)。ここで、前記擬似回転発光部３７,３８は、第３の発光体基板３９上に配置した第１〜第５ＬＥＤ列ＬＮ１〜ＬＮ５をなすＬＥＤ４０,４１の内、各列の外方に位置する第１のＬＥＤ４０を、基板３９に対して略平行でかつ半径方向外側へ向けて光を照射するよう取付けると共に、該第１のＬＥＤ４０より第２の反射部材４３側(定点側)に位置する第２のＬＥＤ４１を、第２の反射部材４３の円錐面４４へ向けて光を照射するよう取付けることにより、前記第２カバー部材５８には、第１のＬＥＤ４０から直接照射される強い光と、第２の反射部材４３で反射された弱い光とでコントラストが生ずる。
【００４１】
更に、前記反射体４６の第２反射面部４８からの反射光は、第１のＬＥＤ４０からの光を反射した反射光と、円錐状の第２の反射部材４３からの反射光を更に反射した反射光となる。このため、第２の反射部材４３の前側に位置するＬＥＤ列ＬＮ１〜ＬＮ５を点灯させたときの光りの強さに較べて、該第２の反射部材４３の後側に位置するＬＥＤ列ＬＮ１〜ＬＮ５を点灯させたときの光りの強さは低下する。すなわち、ＬＥＤ列ＬＮ１〜ＬＮ５を各列毎に一定方向に順次点灯・消灯させると、照射される光の強さが多様に変化するから、発光演出効果をより向上させ得る利点がある。
【００４２】
また、実施例のように、前記第１ＬＥＤ列ＬＮ１から第５ＬＥＤ列ＬＮ５の順で、各列に対応の第１および第２のＬＥＤ４０,４１の夫々を順次点灯・消灯させた際には、実際に光の照射方向が回転変位しているよう見せかけることができる。すなわち、光の照射方向が回転変位するように見えることにより、単にＬＥＤ４０,４１を点灯・消灯させた場合に較べて、発光演出効果を向上して、遊技の興趣を増大することができる。また、前記第２カバー部材５８に強い光が照射される領域と、弱い光が照射される領域とが生ずるよう構成することで、発光の立体感(奥行感)が生じ、発光演出効果を高くし得る。
【００４３】
ここで、前記ＬＥＤ列ＬＮ１〜ＬＮ５を前記第２の反射部材４３(定点)の略全周に亘って配置すると共に、これらＬＥＤ列ＬＮ１〜ＬＮ５の後方位置に反射体４６(第２反射面部４８)を設けることで、該第２の反射部材４３の前側に位置する第１および第２ＬＥＤ列ＬＮ１,ＬＮ２を順次点灯・消灯させたときに光りが移動する方向と、第２の反射部材４３の側方および後方に位置する第３〜第５ＬＥＤ列ＬＮ３〜ＬＮ５を順次点灯・消灯させたときに光りが移動する方向とは反対となる。具体的には、実施例では、前記第１および第２ＬＥＤ列ＬＮ１,ＬＮ２を順次点灯・消灯させた際には光の照射方向は左から右に移動し、第３〜第５ＬＥＤ列ＬＮ３〜ＬＮ５を順次点灯・消灯させた際には光の照射方向は右から左に移動する。すなわち、前記第１〜第５ＬＥＤ列ＬＮ１〜ＬＮ５の第１および第２のＬＥＤ４０,４１を点灯・消灯した際に、単純に一方向に光が移動しないから、遊技の興趣の増大に寄与し得る。また前述したように、前記ＬＥＤ列ＬＮ１〜ＬＮ５を順次点灯・消灯したときに、第２カバー部材５８に照射される光の強さ(コントラスト)が変化することで、回転発光部２６のように第２カバー部材５８の内側(裏側)で光の照射方向が実際に(リアルに)回転変位しているように見せかけることができる。
【００４４】
前述のように、前記擬似回転発光部３７,３８は、前記第３の発光体基板３９上に第２の反射部材４３および第１〜第５ＬＥＤ列ＬＮ１〜ＬＮ５の夫々を設け、該第１〜第５ＬＥＤ列ＬＮ１〜ＬＮ５の第１および第２のＬＥＤ４０,４１を順次点灯・消灯するだけで、光の照射方向を回転変位するように見せかけることができる。すなわち、前記擬似回転発光部３７,３８は、光の照射方向を回転変位させるに際し、前記回転発光部２６のように第２の反射部材４３を回転させる機構を必要としないから、該擬似回転発光部３７,３８を小型にして、電飾装置２０のコンパクト化に寄与し得る。なお、前記第２の反射部材４３は、前記第３の発光体基板３９上の定点に固定配置してあるから、各ＬＥＤ列ＬＮ１〜ＬＮ５と第２の反射部材４３とを一定の位置関係に保持される。従って、運搬の振動等により各ＬＥＤ列ＬＮ１〜ＬＮ５と第２の反射部材４３との位置関係にズレが生ずることはないから、常に所期の発光演出効果を発揮し得る。
【００４５】
一方、前記制御装置８０の制御に基づいて第１モータ７４を駆動して前記遮蔽部材６０(左右の遮蔽板６１,６７)を前記開放位置に変位させると、前記回転発光部２６および第１カバー部材５６の前方(遊技者側)からの視認が許容される。この状態で、前記制御装置８０の制御に基づいて前記回転発光部２６のランプ２８を点灯すると共に、前記制御装置８０の制御に基づいて第２モータ３０を駆動して第１の反射部材２９を回転させると、該第１の反射部材２９で反射された光の照射方向がランプ２８を中心に回転変位しながら第１カバー部材５６に照射される。このように、光の照射方向がランプ２８を中心に回転変位することで、単にランプ２８を点灯・消灯させた場合に較べて発光演出効果を向上し得るから、遊技の興趣を増大することができる。また、前記回転発光部２６は、前記第１の反射部材２９が回転することで反射光の照射方向を実際に回転変位させているから、単純に一方向に光が移動することはなく、遊技の興趣の増大に寄与し得る。
【００４６】
更に、前記第１の反射部材２９の回転領域より後方に、反射体４６(第１反射面部４７)を配置することで、第１の反射部材２９の回転により反射光が後方へ照射されたときでも、該反射体４６(第１反射面部４７)で反射した反射光を前方へ照射し得るから、発光演出による演出効果をより向上し得る。殊に、前記第１の反射部材２９の回転により、該第１の反射部材２９がランプ２８の前側を覆い隠した状態では、ランプ２８からの光も前側に照射されなくなるから、遊技者に発光演出が途切れる印象を与える虞もあるが、実施例のように反射体４６(第１反射面部４７)を設けることで、該反射体４６(第１反射面部４７)の反射光を前方へ照射し得るから、連続的な発光演出が可能となる。
【００４７】
ここで、前記回転発光部２６および第１カバー部材５６は、前記遮蔽部材６０(左右の遮蔽板６１,６７)を遮蔽位置から開放位置へ変位した場合に限り遊技者側から視認可能となるから、電飾装置２０の作動時の意外性を高めてより強いインパクトを与えることができ、遊技の興趣を増大し得る。また、遮蔽部材６０を開放位置に変位することで、回転発光部２６による発光演出を行ない得る。従って、回転発光部２６の機能を損なうことなく、遊技の興趣の向上を図り得る利点がある。そして、前記遮蔽部材６０(左右の遮蔽板６１,６７)が遮蔽位置にある時と、開放位置にあるときとで異なる発光演出を行ない得るから、発光演出の多様化を図り、遊技の興趣を増大することが可能となる。
【００４８】
ところで、実施例の回転発光部２６は、電飾装置２０のベース板２１に設けた第２の発光体基板２７にランプ２８を固定すると共に、前記第１の反射部材２９を回転させる第２モータ３０および第２伝達手段３１の夫々を反射体４６に取付けてある。ここで、前記第１の反射部材２９、第２モータ３０および第２伝達手段３１の夫々と、ランプ２８とを同じ側(ベース板２１側あるいは反射体４６側)に配置するよう構成した場合であっても、実施例の回転発光部２６と同様に光の照射方向を回転変位させることができる。但し、この構成では、構成の複雑化を招来し、装置の大型化やコストの増大を招来する問題を内在している。すなわち、回転発光部２６における回転する構成部分(第１の反射部材２９、第２モータ３０、第２伝達手段３１)と、回転しない構成部部(ランプ２８)とを異なる位置に設けることで、これら回転する構成部分および回転しない構成部分の構造を簡略化し得るから、該回転発光部２６をコンパクトにして、電飾装置２０全体の小型化を図り得る。
【００４９】
また、電飾装置２０における第１の反射部材２９、第２モータ３０および第２伝達手段３１の夫々と、ランプ２８との配置位置を、実施例とは上下反対の構成とした場合であっても、光の照射方向を回転変位させることは可能である。具体的には、前記第１の反射部材２９を回転させる第２モータ３０および第２伝達手段３１の夫々をベース板２１側に配設すると共に、前記反射体４６にランプ２８を設けた第２の発光体基板２７を配設してランプ２８を吊下げるよう構成した場合でも、第２モータ３０の駆動により第１の反射部材２９を回転させることで光の照射方向を回転変位させ得る。但し、この構成では、実施例のようにランプ２８を着脱交換可能に取付けるようにした場合に、パチンコ機の運搬時等の振動によりランプ２８が脱落する虞がある。これに対して、実施例では、前記ランプ２８を、ベース板２１に取付けた第２の発光体基板２７(装置下面側)に着脱可能に配置するようにしたから、ランプ２８の交換が可能で、かつパチンコ機の運搬時等にランプ２８が脱落するのを防止し得る。また、反射体４６の上方位置(装置上面側)に前記第１の反射部材２９を回転させる駆動機構を設けることで、該駆動機構をベース板２１側に設けた場合と較べて、装置下部側の厚みが大きくなるのを防止し得る。従って、電飾装置２０の下方位置に配置した図柄表示装置１５と電飾装置２０とを近接させることができ、前記回転発光部２６や擬似回転発光部３７,３８を発光させた際に、これら発光部に遊技者の関心を惹き付け易くなるから、発光演出効果を向上し得る利点がある。なお、前記遮蔽部材６０(左右の遮蔽板６１,６７)を開放位置に変位させた状態で、前記ベース板２１の前端部における左右方向の略中央位置(凹部２１ａ)にあるネジを取外すと共に、前記装飾片１８および第１カバー部材５６を取外すことにより、前記回転発光部２６のランプ２８を前側に露出させることができる。従って、前記ランプ２８の球切れ時や損傷時における該ランプ２８の交換・メンテナンス作業の作業性を向上し得る。
【００５０】
また、前記制御装置８０の制御に基づいて第１モータ７４を駆動して前記遮蔽部材６０(左右の遮蔽板６１,６７)を前記開放位置に変位させると、該遮蔽部材６０(左右の遮蔽板６１,６７)が前記左右の擬似回転発光部３７,３８の前側に位置する。この状態では、前述のように前記第１〜第５ＬＥＤ列ＬＮ１〜ＬＮ５の第１および第２のＬＥＤ４０,４１を順次点灯・消灯したとしても、遊技者に光の照射方向が回転変位しているように見せかけ得ない虞がある。従って、この場合には、前記第１〜第５ＬＥＤ列ＬＮ１〜ＬＮ５の第１および第２のＬＥＤ４０,４１を一定の間隔で点灯・消灯したり、ランダムに点灯・消灯したりすることにより、これらＬＥＤからの光、あるいは第２の反射部材４３や反射体４６(第２反射面部４８)からの反射光が第２カバー部材５８を介して遮蔽部材６０(左右の遮蔽板６１,６７)に照射し得る。ここで、前述のように、前記遮蔽部材６０(左右の遮蔽板６１,６７)に表示部６０ａを設けてあるから、前記擬似回転発光部３７,３８の発光時には表示部６０ａが浮き上がるように明輝して発光演出される。すなわち、前記遮蔽部材６０(左右の遮蔽板６１,６７)が開放位置にあるときには、前記擬似回転発光部３７,３８を、一般的な発光部として機能させることが可能である。
【００５１】
このように、前記遮蔽部材６０(左右の遮蔽板６１,６７)に表示部６０ａを設け、前記回転発光部２６および擬似回転発光部３７,３８からの光が前方へ透過し得るよう構成することにより、該遮蔽部材６０を遮蔽位置および開放位置の何れに変位した状態であっても発光演出を行なうことができる。すなわち、前記遮蔽部材６０(左右の遮蔽板６１,６７)が遮蔽位置にある状態と、該遮蔽部材６０(左右の遮蔽板６１,６７)が開放位置にある状態とで、回転発光部２６および擬似回転発光部３７,３８に異なる発光演出を行なわせ得るから、演出の多様化が図られ、遊技の意外性やインパクトを高め得る利点がある。また、前記遮蔽部材６０(左右の遮蔽板６１,６７)を遮蔽位置と開放位置との間で変位させることで、該遮蔽部材６０(左右の遮蔽板６１,６７)で回転発光部２６を覆ったり、擬似回転発光部３７,３８を覆ったりできるから、多彩な発光演出が可能となる。
【００５２】
ここで、前記左右の遮蔽板６１,６７は、前記第１モータ７４を正回転することで同期的に遮蔽位置から開放位置へ変位すると共に、該第１モータ７４を逆回転することで同期的に開放位置から遮蔽位置へ変位する。このように、単一の第１モータ７４により前記左右の遮蔽板６１,６７を遮蔽位置と開放位置との間で変位させ得るよう構成することで、部品点数を低減してコストの削減を図り得ると共に、電飾装置２０の大型化を防止し得る利点がある。また、前記左右の遮蔽板６１,６７の上端縁に形成した位置決め片６１ｂ,６７ｂを、装飾部材１３の装飾カバー１３ｃの内側(裏側)に摺接するよう構成したことで、該左右の遮蔽板６１,６７を遮蔽位置と開放位置との間でスムーズに移動させることができ、該左右の遮蔽板６１,６７に無理な力が作用するのを防止できる。
【００５３】
〔変更例〕
なお、本発明に係る遊技機の演出装置としては、実施例のものに限られるものではなく、種々の変更が可能である。
実施例では、遮蔽部材を左右方向に移動するよう構成したが、これに限定されるものではなく、遮蔽板を上下方向に移動させたり、扉状に開閉するよう構成してもよい。すなわち、遮蔽部材を移動させた際に、前側からの回転発光部の視認を阻止する遮蔽位置、および前方からの回転発光部の視認を許容する開放位置に変位し得るものであれば、任意に変更可能である。
【００５４】
実施例では、遮蔽部材を板状の遮蔽板から構成したが、布状あるいはフィルム状のものも好適に採用し得る。また、遮蔽部材として１つまたは３つ以上の遮蔽板等を用いるようにすることも可能である。更に、遮蔽部材を作動する駆動手段や伝達手段の構成に関しては、実施例のものに限定されるものではなく、所要に応じて変更すればよい。
【００５５】
遮蔽部材で覆い隠す回転発光部としては、実施例のように、反射部材が回転する回転灯タイプのものに限らず、反射部材を回転させずに発光体列を順次点灯・消灯させて光の照射方向が回転変位しているように見せかける擬似回転発光部であってもよい。すなわち、本発明に係る回転発光部は、実際に光の照射方向が回転変位するものと、光の照射方向が回転変位しているように見せかけるものとを含むものである。更には、回転発光部として、発光体自体を回転させて、光の照射方向が回転変位させるよう構成したものであってもよい。
【００５６】
実施例では、発光体を装置下部側に設け、第１の反射部材の駆動機構を装置上部側に設けたが、これに限定されるものではなく、上下反対の構成であってもよく、また、発光体と駆動機構を同じ側に設けた構成であってもよい。
【００５７】
実施例の擬似回転発光部は、各発光体列を２個のＬＥＤから構成するようにしたが、これに限定されるものではなく、３個以上のＬＥＤから発光体列を構成するようにしてもよい。また、擬似回転発光部の第２の反射部材の形状は円錐状に限られるものではなく、多角錐状に形成することもできる。更に、第２の反射部材４３の配置姿勢に関しても、実施例のものに限らず、発光体列を配置した基板(第３の発光体基板)を上方に設け、第２の反射部材の頂点が該基板に対向する姿勢で配置しても、実施例と同様の作用効果を得ることができる。
【００５８】
実施例では、擬似回転発光部の発光体列を、定点を中心として放射状に５方向へ延在するよう構成したが、これに限定されるものではなく、任意に変更することができる。なお、リアルに光が回転変位しているように見せかけるには、定点を中心とする全周に亘って５方向以上に発光体列を配置することが好ましい。また、実施例では定点を中心とする全周に均等に発光体列を放射状に設けるようにしたが、該発光体列を定点(第２の反射部材)より前側だけに放射状に配置することも可能である。
【００５９】
実施例では、回転発光部から後方へ照射される光を反射する第１反射面部と、擬似回転発光部から後方へ照射される光を反射する第２反射面部とを一体的に形成した反射体を設けるようにしたが、第１反射面部と第２反射面部とを分離して、回転発光部および擬似回転発光部の後方に反射体(対応の第１反射面部と第２反射面部)を個別に配設するようにしてもよい。
【００６０】
実施例では、電飾装置を図柄表示装置が臨む装飾部材に設けた構成を例示したが、これに限定されるものではなく、該電飾装置を遊技盤の所要位置に配設するようにしてもよく、また前枠や中枠等の遊技者側から視認可能な部位に設けるようにしてもよい。更に、本発明に係る電飾装置を採用する遊技機としては、実施例に例示したパチンコ機に限られるものではなく、スロットマシン機やアレンジボール機等の従来公知の各種遊技機に採用可能である。
【００６１】
なお、本発明に係る遊技機の電飾装置に関しては、以下に示す具体的構成に限定することが可能である。
(Ａ) 請求項２記載の遊技機の電飾装置に関して、前記遮蔽部材(60)は、文字や絵柄等を表した表示部(60a)が設けられて、該表示部(60a)を半透明に形成する。
このように、前記遮蔽部材に文字や絵柄等を表した表示部を設けて、該表示部を半透明に形成することで、回転発光部を発光することにより文字や絵柄等を浮き上がらせるよう発光演出することができる。
なお、前記(Ａ)に係る遊技機の電飾装置に対しては、請求項３〜６に係る構成を付加することも可能である。
【００６２】
(Ｂ) 請求項３記載の遊技機の電飾装置に関し、前記反射体(46)に放熱孔(47a)を穿設する。
このように、前記反射体に放熱孔を穿設することで、発光体の発光時の熱を効率的に放出することができる。
なお、前記(Ｂ)に係る遊技機の電飾装置に対しては、請求項４〜６に係る構成、あるいは前記(Ａ)に係る構成を付加することも可能である。
【図面の簡単な説明】
【００６３】
【図１】実施例に係る電飾装置を備えた遊技盤を示す正面図である。
【図２】実施例に係る電飾装置を設けた装飾部材を示す正面図であって、遮蔽部材が遮蔽位置にある状態を示す。
【図３】実施例に係る電飾装置を設けた装飾部材を示す正面図であって、遮蔽部材が開放位置にある状態を示す。
【図４】実施例に係る電飾装置を示す正面図であって、電飾装置から遮蔽部材およびカバー部材を取外した状態で示す。
【図５】実施例に係る電飾装置を示す平面図であって、電飾装置から反射体およびカバー部材を取外した状態で示す。
【図６】図２におけるＡ−Ａ線断面図である。
【図７】実施例に係る電飾装置の回転発光部と、開放位置に変位した遮蔽部材とを示す斜視図である。
【図８】実施例に係る回転発光部を示す斜視図である。
【図９】実施例に係る回転発光部を示す平面図である。
【図１０】実施例に係る擬似回転発光部と反射体の第２反射面部とを概略で示す正面図である。
【図１１】実施例に係る擬似回転発光部と反射体の第２反射面部とを概略で示す横断平面図である。
【図１２】実施例に係る左右の遮蔽板の駆動機構を示す斜視図であって、該遮蔽板を遮蔽位置から開放位置に変位させる状態を示す。
【図１３】実施例に係る左右の遮蔽板の駆動機構を示す平面図であって、該遮蔽板を遮蔽位置から開放位置に変位させる状態を示す。
【図１４】実施例に係る左右の遮蔽板の駆動機構を示す斜視図であって、該遮蔽板を開放位置から遮蔽位置に変位させる状態を示す。
【図１５】実施例に係る左右の遮蔽板の駆動機構を示す平面図であって、該遮蔽板を開放位置から遮蔽位置に変位させる状態を示す。
【図１６】実施例に係る左右の遮蔽板を位置決めする位置検出片を拡大して示す斜視図である。
【図１７】実施例に係る左右の遮蔽板を遮蔽位置に保持した状態における該遮蔽板の当接部位を拡大して示す横断平面図である。
【図１８】実施例に係る電飾装置の各電気部品と制御装置との関係を示すブロック図である。
【符号の説明】
【００６４】
２６  回転発光部，２８  ランプ(発光体)，２９  第１の反射部材(反射部材)
３０  第２モータ(駆動機構)，３１  第２伝達手段(駆動機構)
３７  左側の擬似回転発光部，３８  右側の擬似回転発光部，４６  反射体
５６  第１カバー部材(カバー部材)，６０  遮蔽部材
７４  第１モータ(駆動手段)，７５  第１伝達手段(駆動手段)
【図１】
2006311901.tif 000003
【図２】
2006311901.tif 000004
【図３】
2006311901.tif 000005
【図４】
2006311901.tif 000006
【図５】
2006311901.tif 000007
【図６】
2006311901.tif 000008
【図７】
2006311901.tif 000009
【図８】
2006311901.tif 000010
【図９】
2006311901.tif 000011
【図１０】
2006311901.tif 000012
【図１１】
2006311901.tif 000013
【図１２】
2006311901.tif 000014
【図１３】
2006311901.tif 000015
【図１４】
2006311901.tif 000016
【図１５】
2006311901.tif 000017
【図１６】
2006311901.tif 000018
【図１７】
2006311901.tif 000019
【図１８】
2006311901.tif 000020